(57)【要約】【課題】切粉排出性や冷却効率を高めつつ、ブレード破損と誤判断されるような不具合は防止でき、かつブレード剛性を高めることができて、高精度な切断加工を安定して行うことが可能な切断用ブレードを提供すること。【解決手段】円板状をなし、外周縁部に切れ刃１Ａが形成されたブレード本体１と、前記ブレード本体１の中心軸Ｏ方向を向く面１Ｂに分散して複数形成された窪み状の切粉保持穴６と、を備えたことを特徴とする。前記切粉保持穴６は、該切粉保持穴６の開口縁から穴中心に向かうに従い徐々に深さが深くなることが好ましい。前記切粉保持穴６は、該切粉保持穴６の周縁部から穴中心にわたって深さが一定であってもよい。【選択図】図８
2018199170.tif 000002
【特許請求の範囲】
【請求項１】
円板状をなし、外周縁部に切れ刃が形成されたブレード本体と、
前記ブレード本体の中心軸方向を向く面に分散して複数形成された窪み状の切粉保持穴と、を備えた切断用ブレード。
【請求項２】
請求項１に記載の切断用ブレードであって、
前記切粉保持穴は、該切粉保持穴の開口縁から穴中心に向かうに従い徐々に深さが深くなる切断用ブレード。
【請求項３】
請求項１に記載の切断用ブレードであって、
前記切粉保持穴は、該切粉保持穴の周縁部から穴中心にわたって深さが一定である切断用ブレード。
【請求項４】
請求項１〜３のいずれか一項に記載の切断用ブレードであって、
前記切粉保持穴は、円形穴状、半円形穴状、楕円形穴状、多角形穴状及び星形穴状のいずれかに形成された切断用ブレード。
【請求項５】
請求項１〜４のいずれか一項に記載の切断用ブレードであって、
前記ブレード本体の中心軸方向を向く面のうち外周部において、複数の前記切粉保持穴が前記中心軸回りに回転して得られる各回転軌跡が、前記中心軸に直交する径方向に隙間なく配置される切断用ブレード。
【請求項６】
請求項１〜５のいずれか一項に記載の切断用ブレードであって、
前記ブレード本体の中心軸方向を向く面のうち外周部において、前記切粉保持穴が開口する面積の割合が、１０〜５０％である切断用ブレード。
【請求項７】
請求項１〜６のいずれか一項に記載の切断用ブレードであって、
前記切粉保持穴は、該切粉保持穴の開口縁の内径に比べて深さが小さい切断用ブレード。
【請求項８】
請求項１〜７のいずれか一項に記載の切断用ブレードであって、
前記切粉保持穴の深さが、前記ブレード本体の中心軸方向の厚さの１／１０〜１／３である切断用ブレード。
【請求項９】
請求項１〜８のいずれか一項に記載の切断用ブレードであって、
前記切粉保持穴の深さが、１０〜６７μｍである切断用ブレード。
【請求項１０】
請求項１〜９のいずれか一項に記載の切断用ブレードであって、
前記切粉保持穴の開口縁の内径が、１〜４ｍｍである切断用ブレード。
【発明の詳細な説明】
【技術分野】
【０００１】
本発明は、例えば半導体製品などに用いられる電子材料部品等の被切断材を切断加工する切断用ブレードに関する。
【背景技術】
【０００２】
切断用ブレードは、例えば半導体製品などに用いられる電子材料部品等の被切断材を切断することによって個片化する加工等（以下、切断加工という）に用いられる。
切断用ブレードは、円板状をなすブレード本体と、ブレード本体の外周縁部に形成された切れ刃と、を備えている。ブレード本体は、樹脂相（樹脂の固相）や金属相（金属の固相）等の結合相（結合剤）に、ダイヤモンドやｃＢＮ等の砥粒、及びフィラーが分散されて形成されている。
【０００３】
従来、例えば下記特許文献１に示されるような切断用ブレード（薄刃砥石）が知られている。この切断用ブレードの外周縁部には、該切断用ブレードを中心軸（回転軸）方向に貫通して径方向に延びるスリットが形成されている。スリットが設けられることにより、切断加工時に生じた切粉（切屑）を該スリット内に一時的に保持することができ、外部へと排出しやすくできる。また、切断加工時に切断部位に供給される冷却水（切削水）を、スリット内に一時的に保持して、切れ刃近傍や加工面に安定して到達させやすくなる。
【先行技術文献】
【特許文献】
【０００４】
【特許文献１】特開２００３−３２６４６３号公報
【発明の概要】
【発明が解決しようとする課題】
【０００５】
ところで、切断用ブレードが装着される切断機（ダイサー）には、光学式ブレード破損検出装置が設けられている。しかしながら、上記従来の切断用ブレードはスリットが形成されているため、光がスリットを透過してしまい破損と誤判断されるおそれがある。つまり、装置がスリットをブレード破損（割れ）と判断して運転を規制してしまう場合があり、生産性に影響する。
また、切断用ブレードを貫通するスリットが形成されていることで、切粉排出性や冷却効率は向上されるものの、ブレード剛性を高めることは難しかった。
【０００６】
本発明は、このような事情に鑑みてなされたものであって、切粉排出性や冷却効率を高めつつ、ブレード破損と誤判断されるような不具合は防止でき、かつブレード剛性を高めることができて、高精度な切断加工を安定して行うことが可能な切断用ブレードを提供することを目的としている。
【課題を解決するための手段】
【０００７】
本発明の一態様に係る切断用ブレードは、円板状をなし、外周縁部に切れ刃が形成されたブレード本体と、前記ブレード本体の中心軸方向を向く面に分散して複数形成された窪み状の切粉保持穴と、を備えたことを特徴とする。
【０００８】
本発明の切断用ブレードによれば、ブレード本体の中心軸方向を向く面に、該面から凹む窪み状の切粉保持穴が複数形成されている。ブレード本体の中心軸方向を向く面に切粉保持穴が分散配置されていることによって、切断加工時に生じた切粉（切屑）を該切粉保持穴内に一時的に保持することができ、外部へと排出しやすくすることができる。また、切断加工時に切断部位に供給される冷却水（切削水）を、切粉保持穴内に一時的に保持して、切れ刃近傍や加工面（つまり被切断材の加工溝内）に安定して到達させ、冷却効率を向上することができる。また、切れ刃近傍及び加工面に到達した冷却水により切粉排出性を高めることができる。
【０００９】
切粉保持穴は、窪み状（凹状、ディンプル状）に形成されており、ブレード本体を貫通してはいないので、この切断用ブレードが装着される切断機（ダイサー）において、光学式ブレード破損検出装置の光が切粉保持穴を透過することはなく、ブレード破損と誤判断されるような不具合が確実に防止されて、安全装置の機能を十分に生かすことができ、かつ生産性が良好に維持される。
【００１０】
また、従来のようなブレード本体を貫通するスリットに比べて、本発明ではブレード本体を貫通しない切粉保持穴を該ブレード本体の中心軸方向を向く面上に分散配置したので、ブレード本体に局部的な強度低下や集中荷重が生じるような不具合を効果的に抑制でき、ブレード剛性を確実に高めることができる。
【００１１】
また、ブレード本体の中心軸方向を向く面に切粉保持穴が分散されていることによって、被切断材の加工面（切断面）と切断用ブレードとの摩擦抵抗（接触抵抗）が顕著に低減される。これにより、切れ刃近傍及び加工面の温度上昇を抑えることができ、上述した切粉保持穴の作用効果と相俟って、加工面精度のさらなる向上や工具寿命延長の効果を得ることができる。
【００１２】
具体的に、切粉保持穴は、従来のスリットとは異なり、ブレード剛性を維持しつつ互いの配置間隔を狭めることが容易であり、例えば０．１ｍｍ程度の狭い間隔をあけて連続的に配列することができる。このため、切粉保持穴の開口面積及び容量を、従来のスリットの開口面積及び容量に比べて同等又はそれ以上に大きく設定することも容易であり、さらなる効果の向上が期待できる。
【００１３】
以上より本発明によれば、切粉排出性や冷却効率を高めつつ、ブレード破損と誤判断されるような不具合は防止でき、かつブレード剛性を高めることができて、高精度な切断加工を長期にわたり安定して行うことができる。
【００１４】
また、上記切断用ブレードにおいて、前記切粉保持穴は、該切粉保持穴の開口縁から穴中心に向かうに従い徐々に深さが深くなることが好ましい。
【００１５】
この場合、切粉保持穴が、その開口縁から穴中心（穴底の中心）に向かうに従い徐々に深さが深くされているので、該切粉保持穴内に一時的に保持した切粉を、穴外部へと流れ出やすくすることができる。また、切粉保持穴内に一時的に保持した冷却水を、切断部位へ向けて供給しやすくすることができる。従って、切粉排出性及び冷却効率をより安定的に高めることができる。
【００１６】
また、上記切断用ブレードにおいて、前記切粉保持穴は、該切粉保持穴の周縁部から穴中心にわたって深さが一定であることとしてもよい。
【００１７】
この場合、切断用ブレードの製造容易性が向上する。
【００１８】
また、上記切断用ブレードにおいて、前記切粉保持穴は、円形穴状、半円形穴状、楕円形穴状、多角形穴状及び星形穴状のいずれかに形成されたことが好ましい。
【００１９】
複数の切粉保持穴は、例えば、ブレード本体の中心軸方向を向く面に対して、金型によるプレス成形や、ブラスト処理による成形を施すことにより形成できる。そして、切粉保持穴の穴形状は、例えば被切断材（ワーク）の種類、切断条件、加工面精度への要請等に応じて、円形穴状、半円形穴状、楕円形穴状、多角形穴状及び星形穴状のいずれかより適宜選択可能である。
【００２０】
また、上記切断用ブレードは、前記ブレード本体の中心軸方向を向く面のうち外周部において、複数の前記切粉保持穴が前記中心軸回りに回転して得られる各回転軌跡が、前記中心軸に直交する径方向に隙間なく配置されることが好ましい。
【００２１】
この場合、ブレード本体の中心軸方向を向く面のうち外周部において、複数の切粉保持穴の各回転軌跡が、ブレード径方向に沿って隙間なく配置されるので、切断加工時の切り込み量（切断深さ）に係わらず、被切断材の加工面上を必ず切粉保持穴が通過する。従って、切り込み量等を変化させた場合でも、安定して切断精度を高めることができる。
【００２２】
また、上記切断用ブレードは、前記ブレード本体の中心軸方向を向く面のうち外周部において、前記切粉保持穴が開口する面積の割合が、１０〜５０％であることが好ましい。
【００２３】
ブレード本体の中心軸方向を向く面のうち外周部において、切粉保持穴が開口する面積の割合が１０％以上であれば、従来のスリットと同等以上の開口面積を確保しやすくなり、上述した切粉保持穴による作用効果が格別にかつ安定して高められる。また、ブレード本体の中心軸方向を向く面のうち外周部において、切粉保持穴が開口する面積の割合が５０％以下であれば、該切粉保持穴が多く形成され過ぎてブレード剛性に影響するようなことを防止できる。
【００２４】
また、上記切断用ブレードにおいて、前記切粉保持穴は、該切粉保持穴の開口縁の内径に比べて深さが小さいことが好ましい。
【００２５】
この場合、切粉保持穴内に一時的に保持した切粉を、穴外部へと排出させやすくすることができる。また、切粉保持穴内に一時的に保持した冷却水を、切断部位へ供給しやすくすることができる。従って、切粉排出性及び冷却効率をより安定的に高めることができる。
なお、上記「切粉保持穴の開口縁の内径」とは、切粉保持穴が円形穴状以外の穴形状の場合には、切粉保持穴の開口縁における内接円の直径を指す。
【００２６】
また、上記切断用ブレードにおいて、前記切粉保持穴の深さが、前記ブレード本体の中心軸方向の厚さの１／１０〜１／３であることが好ましい。
【００２７】
切粉保持穴の深さが、ブレード本体の中心軸方向の厚さの１／１０以上であれば、切粉保持穴の深さが十分に確保されて、上述した切粉保持穴による作用効果が顕著に奏功される。また、切粉保持穴の深さが、ブレード本体の中心軸方向の厚さの１／３以下であれば、該切粉保持穴が深くなり過ぎてブレード剛性に影響するようなことを防止できる。
【００２８】
また、上記切断用ブレードにおいて、前記切粉保持穴の深さが、１０〜６７μｍであることが好ましい。
【００２９】
切粉保持穴の深さが１０μｍ以上であれば、該切粉保持穴内に、数μｍ程度の大きさの切粉を確実に収容することができ、上述した切粉保持穴による作用効果が十分に奏功される。また、切粉保持穴の深さが６７μｍ以下であれば、該切粉保持穴が深くなり過ぎてブレード剛性に影響するようなことを防止できる。
【００３０】
また、上記切断用ブレードにおいて、前記切粉保持穴の開口縁の内径が、１〜４ｍｍであることが好ましい。
【００３１】
切粉保持穴の開口縁の内径が１ｍｍ以上であれば、ブレード本体の中心軸方向を向く面において、複数の切粉保持穴に所定以上の開口面積や十分な深さ、容量を付与しやすくなり、製造（成形）が容易である。また、切粉保持穴の開口縁の内径が４ｍｍ以下であれば、該切粉保持穴が大きく形成され過ぎてブレード剛性に影響するようなことを防止できる。
【発明の効果】
【００３２】
本発明の切断用ブレードによれば、切粉排出性や冷却効率を高めつつ、ブレード破損と誤判断されるような不具合は防止でき、かつブレード剛性を高めることができて、高精度な切断加工を安定して行うことが可能である。
【図面の簡単な説明】
【００３３】
【図１】本発明の一実施形態に係る切断用ブレードを示す側面図（平面図）である。
【図２】図１のＡ−Ａ断面を示す図である。
【図３】図２のＢ部を拡大して示す図である。
【図４】切粉保持穴の断面拡大図である。
【図５】図１のＣ部を拡大して示す図である。
【図６】切粉保持穴の変形例を示す図である。
【図７】切粉保持穴の変形例を示す図である。
【図８】切粉保持穴の変形例を示す図である。
【図９】図８のＤ−Ｄ断面を示す図である。
【図１０】図８のＥ−Ｅ断面を示す図である。
【図１１】切粉保持穴の変形例を示す図である。
【図１２】切粉保持穴の変形例を示す図である。
【図１３】ＳＡＷデバイス用セラミックパッケージの断面及び切断用ブレードを模式的に表す図である。
【発明を実施するための形態】
【００３４】
以下、本発明の一実施形態に係る切断用ブレード１０について、図面を参照して説明する。なお、本発明の実施形態の説明に用いる図面は、本発明の特徴をわかりやすくするために、要部となる部分を拡大、強調、抜粋して示している場合があり、各構成要素の寸法比率などが実際のものと同じであるとは限らない。
【００３５】
本実施形態の切断用ブレード１０は、例えば半導体製品などに用いられる電子材料部品等の被切断材を切断することによって個片化する精密切断加工に用いられる。
切断用ブレード１０によって切断され製造される電子材料部品としては、半導体素子のように半導体ウェハから切断されて分割された後に、リードフレームに実装されて樹脂モールディングされるものの他、例えば下記のようなものが挙げられる。
（ａ）ＱＦＮパッケージ（quad flat non-leaded package）のように、Ｃｕ等のリードフレーム上に一括して多数の素子を実装し、これらをまとめてモールディングした後に切断することにより個片化されて製造される電子材料部品。
（ｂ）ＳＡＷ（surface acoustic wave）デバイス用セラミックパッケージのように、表層から下方へ向けて、コバール層（蓋層）、ＳｎＡｇ層（はんだ層）、Ａｌ２Ｏ３層、レジスト層、テープ層等がこの順に形成され、切断により個片化される電子材料部品。
【００３６】
図１〜図３に示されるように、切断用ブレード１０は、円板状をなし、外周縁部に切れ刃１Ａが形成されたブレード本体１と、ブレード本体１の中心軸Ｏ方向を向く面１Ｂに分散して複数形成された窪み状（凹状、ディンプル状）の切粉保持穴６と、を備えている。また、ブレード本体１は、砥粒３及びフィラー５が分散された樹脂相２を有する。
【００３７】
本実施形態の切断用ブレード１０は、図示しない切断機（ダイサー）の主軸にフランジを用いて取り付けられる、ワッシャタイプ（平円板形）の薄刃ブレード（薄刃砥石）である。切断用ブレード１０は、切断機の主軸によって中心軸Ｏ回りに回転させられつつ、被切断材に対して中心軸Ｏに垂直な方向（具体的には、高さ方向であるＺ方向）に移動させられることにより、切断用ブレード１０のうちフランジよりも径方向外側に突出させられた外周縁部（切れ刃１Ａ）で、被切断材を切断加工する。
また、この切断機には、安全装置の１つとして光学式ブレード破損検出装置が設けられている。
【００３８】
本実施形態においては、切断用ブレード１０（のブレード本体１）の中心軸Ｏが延在する方向（中心軸Ｏに沿う方向）を、中心軸Ｏ方向という。中心軸Ｏ方向は、切断用ブレード１０の厚さ方向に相当する。また、中心軸Ｏ方向に沿ってブレード外部から内部へ向かう方向を中心軸Ｏ方向の内側といい、中心軸Ｏ方向に沿ってブレード内部から外部へ向かう方向を中心軸Ｏ方向の外側という。
また、中心軸Ｏに直交する方向を径方向という。径方向のうち、中心軸Ｏに接近する向きを径方向の内側といい、中心軸Ｏから離間する向きを径方向の外側という。
また、中心軸Ｏ回りに周回する方向を周方向という。
【００３９】
切断用ブレード１０のブレード本体１の外径は、例えば５４ｍｍ程度であり、内径（後述する取付孔４の内径）は、例えば４０ｍｍ程度である。
切断用ブレード１０のブレード本体１の中心軸Ｏ方向に沿う厚さは、例えば２００μｍ以下であり、好ましくは１００μｍ以下である。本実施形態の例では、ブレード本体１の厚さが１００μｍである。このように、ブレード本体１は極薄の円板状に形成されている。なお、図２においては切断用ブレード１０の構成をわかりやすく説明するため、ブレード本体１の厚さが実際の厚さよりも厚く表示されている。
【００４０】
切れ刃１Ａは、ブレード本体１の中心軸Ｏ方向を向く一対の面１Ｂ（一対の端面（外面）であり、表面及び裏面であり、切断機に取り付けられた状態では一対の側面である）における各外周縁部と、ブレード本体１の外周面と、前記各外周縁部と前記外周面との交差稜線をなす一対のエッジと、によって形成されている。切れ刃１Ａの刃幅は、ブレード本体１の中心軸Ｏ方向の厚さに対応している。
【００４１】
ブレード本体１の径方向の中央部（中心軸Ｏ上）には、該ブレード本体１を中心軸Ｏ方向に貫通する円孔状の取付孔４が形成されている。このためブレード本体１は、具体的には円形リング板状をなしている。つまり、本実施形態でいう「円板状のブレード本体１」には、円形リング板状のブレード本体１が含まれる。切断用ブレード１０の取付孔４内には、切断機の主軸が挿通される。
【００４２】
ブレード本体１は、樹脂材料を主成分として形成された樹脂相（樹脂の固相）２と、樹脂相２に分散され、樹脂相２よりも硬質の材料からなる砥粒３と、樹脂相２に分散され、砥粒３よりも軟質の材料からなるフィラー５と、を有している。つまりこの切断用ブレード１０は、レジンボンド（樹脂結合剤）ブレードである。
樹脂相２の主成分の材質としては、例えばエポキシ樹脂やフェノール樹脂等が挙げられる。
【００４３】
ブレード本体１に分散される砥粒３は、例えばダイヤモンド砥粒やｃＢＮ砥粒等である。砥粒３の平均粒径は、ブレード本体１の中心軸Ｏ方向の厚さに応じて適宜選択されることが好ましい。具体的に、本実施形態の一例としては、ブレード本体１の厚さに対し、１／５〜１／４程度の平均粒径を有する砥粒３を使用するのが砥粒限界粒径（上限）であり、所期する加工品位に応じて、これより細かな（小さな）平均粒径を有する砥粒３を使用する。つまり、本実施形態のようにブレード本体１の厚さが１００μｍの場合、砥粒３の平均粒径は２０〜２５μｍが最大であり、加工品位により、平均粒径５μｍを使用するなどは任意となる。
【００４４】
上記「平均粒径」とは、多数の砥粒３の粒径の平均値を表しており、例えば、ある粒径範囲をもった砥粒３をマイクロトラック（登録商標）などにより測定し、平均粒径を算出する等の方法が取られる。
【００４５】
フィラー５は、砥粒３よりも小さく、例えば炭化ケイ素、炭化タングステン、酸化亜鉛等からなる。
砥粒３及びフィラー５は、いずれも樹脂相２より硬質の材料からなる。砥粒３は、主として加工性向上に寄与し、フィラー５は、主としてブレード本体１の剛性向上に寄与する。なお、砥粒３及びフィラー５の材質は、本実施形態で説明したものに限定されない。
【００４６】
図３〜図５において、切粉保持穴６は、ブレード本体１の中心軸Ｏ方向を向く面１Ｂのうち、少なくとも外周部に分散して複数形成されている。
本実施形態でいう上記「外周部」とは、切断用ブレード１０が切断機の主軸に取り付けられたときに、ブレード本体１の中心軸Ｏ方向を向く面１Ｂのうち、フランジよりも径方向外側に位置して外部に露出された部分を指す。
図５に示される例では、ブレード本体１の面１Ｂの外周部に、切粉保持穴６が千鳥状に配置されている。
【００４７】
切粉保持穴６は、樹脂相２の表面（基準面）から窪んで形成されている。
本実施形態でいう上記「基準面」とは、ブレード本体１の中心軸Ｏ方向を向く面１Ｂのうち、該面１Ｂから中心軸Ｏ方向の外側へ突出する砥粒３及びフィラー５を除く樹脂相２の平らな表面であり、中心軸Ｏに垂直な仮想平面を指す。例えば、ブレード本体１の面１Ｂには、上記基準面から中心軸Ｏ方向の外側へ向けて突出する砥粒３等に隣接する樹脂相２部分に、被切断材に切断加工をすることによって生じるいわゆるチップポケット（基準面よりも中心軸Ｏ方向の外側に位置するポケット）が形成されることがあるが、本実施形態の切粉保持穴６には上記チップポケットは含まれない。つまり、本実施形態において切粉保持穴６は、樹脂相２の基準面から中心軸Ｏ方向の内側に窪んで形成される。
【００４８】
切粉保持穴６は、被切断材を切断加工したときに生じる切粉（切屑）を一時的に保持可能な穴であり、本実施形態の例では、円形穴状をなしている。切粉保持穴６のうち、ブレード外周縁に配置されたものの中には、円形穴が部分的に切り欠かれて半円形穴状等をなすものが含まれる。
切粉保持穴６は、ブレード本体１を貫通する「孔」ではなく、ブレード本体１を貫通しない有底の「穴」に形成されている。つまり切粉保持穴６は、有底の窪み状、凹状又はディンプル状をなしている。
【００４９】
図３及び図４に示されるように、本実施形態の切粉保持穴６は、該切粉保持穴６の開口縁から穴中心（穴底の中心）に向かうに従い徐々に深さが深くされている。つまり、切粉保持穴６の穴底（底壁）は、窪みの最外周部から中央部にかけて徐々に深さが深くなるように傾斜して形成されており、中央部の深さが最も深い。また、切粉保持穴６は、該切粉保持穴６の開口縁の内径に比べて、穴の深さが小さい。本実施形態の例では、図３及び図４に示されるブレード断面視において、切粉保持穴６（の穴底）が凹曲線状をなしている。つまり、切粉保持穴６は、凹曲面状に形成されている。
【００５０】
切粉保持穴６の開口縁の内径は、例えば１〜４ｍｍである。なお、上記「切粉保持穴６の開口縁の内径」とは、後述するように切粉保持穴６が円形穴状以外の穴形状の場合には、切粉保持穴６の開口縁における内接円の直径を指す。
また、切粉保持穴６の深さ（最大深さ）は、ブレード本体１の中心軸Ｏ方向の厚さの１／１０〜１／３である。本実施形態の例では、切粉保持穴６の深さ（最大深さ）が、１０〜６７μｍである。
【００５１】
本実施形態の例では、図４に示されるように、中心軸Ｏに沿うブレード本体１の断面視で、ブレード本体１の中心軸Ｏ方向を向く面１Ｂと、切粉保持穴６の開口縁と、の間に形成される角度θが、３０〜６０度である。好ましくは、角度θは４０〜５０度であり、図示の例では４５度である。
本実施形態でいう上記「角度θ」とは、図４に示すブレード断面視において、ブレード本体１の面１Ｂと、切粉保持穴６の開口縁と、が交差して形成される鋭角及び鈍角のうち、鋭角の角度を指す。
【００５２】
ブレード本体１の中心軸Ｏ方向を向く面１Ｂのうち外周部において、切粉保持穴６が開口する面積の割合は、例えば１０〜５０％である。つまり図５において、ブレード本体１の面１Ｂのうち外周部の全体面積に占める、複数の切粉保持穴６の開口面積の総和の割合が、１０〜５０％である。
【００５３】
また、ブレード本体１の中心軸Ｏ方向を向く面１Ｂのうち外周部において、複数の切粉保持穴６が中心軸Ｏ回りに回転して得られる各回転軌跡は、ブレード径方向に隙間なく配置される。つまり、ブレード本体１の面１Ｂのうち外周部の全域にわたって、複数の切粉保持穴６の各回転軌跡同士が径方向に重なり合い、隙間なく配置される。言い換えると、ブレード本体１の面１Ｂのうち外周部においては、該ブレード本体１が中心軸Ｏ回りに回転したときに、切粉保持穴６が通過しない領域が存在しない（つまり径方向のいずれの位置においても切粉保持穴６が通過する）。
【００５４】
図６〜図１２は、切粉保持穴６の変形例を表している。
図６に示される例では、切粉保持穴６が、楕円形穴状をなしている。図６において、複数の切粉保持穴６には、該切粉保持穴６の開口縁がなす楕円形の長軸（長手方向）及び短軸（短手方向）のうち、長軸が、ブレード本体１の径方向に向けて延びるもの、周方向に向けて延びるもの、径方向の外側へ向かうに従い周方向の一方側（例えばブレード回転方向）に向けて延びるもの、径方向の外側へ向かうに従い周方向の他方側（例えば反ブレード回転方向）に向けて延びるもの、が含まれる。
【００５５】
図７に示される例では、切粉保持穴６が、四角形穴状をなしている。具体的に切粉保持穴６は、正方形穴状をなしており、該切粉保持穴６の開口縁がなす正方形の四辺のうち、いずれか一辺が、ブレード本体１の径方向（又は周方向）に向けて延びるもの、径方向の外側へ向かうに従い周方向のいずれか（一方側又は他方側）へ向けて延びるもの、が含まれる。
特に図示しないが、切粉保持穴６は、上記正方形穴状以外の長方形穴状や平行四辺形穴状、菱形穴状等であってもよい。また切粉保持穴６は、四角形穴状以外の例えば三角形穴状等の多角形穴状であってもよい。また、切粉保持穴６は、星形穴状であってもよい。
【００５６】
図８〜図１２に示される例では、ブレード本体１の中心軸Ｏ方向を向く面１Ｂ上に、互いに異なる形状を有する切粉保持穴６が、複数形成されている。
図８に示される例では、中心軸Ｏ方向から見たブレード平面視で、ブレード本体１の面１Ｂ上に、円形穴状の切粉保持穴６及び楕円形穴状の切粉保持穴６が形成されており、これらの切粉保持穴６には、径方向に沿って配列するものや、周方向に沿って配列するものが含まれる。なお、これらの切粉保持穴６は、径方向に対して傾斜して配列していたり、周方向に対して傾斜して配列していたりしてもよい。図９及び図１０に示されるように、これらの切粉保持穴６の断面形状は、例えば半楕円形状や半円形状等の凹曲線状をなしている。
図示を省略しているが、ブレード平面視で円形穴状をなす切粉保持穴６は、真円形穴状に限らず、非真円形穴状（不均一な円形穴状）をなしていてもよい。また、切粉保持穴６は半円形穴状等であってもよい。
【００５７】
図１１及び図１２に示される例では、ブレード本体１の中心軸Ｏ方向を向く面１Ｂの外周部に、複数の切粉保持穴６が形成されており、これらの切粉保持穴６同士の大きさ、形状、配置ピッチ（図示の例では周方向ピッチ）等が互いに異なっている。
切粉保持穴６の配列については、例えば、互いに同一寸法とされた複数の切粉保持穴６を規則的に整列させてもよいし、不規則（ランダム）に配列してもよい。また、互いに寸法の異なる複数の切粉保持穴６を、規則的に整列させたり、大小交互に配列したり、不規則（ランダム）に配列してもよい。また、隣り合う切粉保持穴６同士の間隔（配置ピッチ）は均一でもよいし、不均一でもよい。
【００５８】
図５〜図８、図１１及び図１２に示されるように、ブレード本体１の面１Ｂを正面に見たブレード平面視において、各切粉保持穴６は、回転対称形状であることが好ましい。ただし、回転対称形状に限定されるものではない。
ブレード本体１の中心軸Ｏ方向を向く面１Ｂに分散する複数の切粉保持穴６は、ブレード製造時において、例えば、ブレード本体１の面１Ｂに対して、金型によるプレス成形やブラスト処理による成形を施すことにより形成される。
【００５９】
以上説明した本実施形態の切断用ブレード１０によれば、ブレード本体１の中心軸Ｏ方向を向く面１Ｂに、該面１Ｂ（樹脂相２の基準面）から凹む窪み状の切粉保持穴６が複数形成されている。ブレード本体１の中心軸Ｏ方向を向く面１Ｂに切粉保持穴６が分散配置されていることによって、切断加工時に生じた切粉（切屑）を該切粉保持穴６内に一時的に保持することができ、外部へと排出しやすくすることができる。また、切断加工時に切断部位に供給される冷却水（切削水）を、切粉保持穴６内に一時的に保持して、切れ刃１Ａ近傍や加工面（つまり被切断材の加工溝内）に安定して到達させ、冷却効率を向上することができる。また、切れ刃１Ａ近傍及び加工面に到達した冷却水により切粉排出性を高めることができる。
【００６０】
切粉保持穴６は、窪み状（凹状、ディンプル状）に形成されており、ブレード本体１を貫通してはいないので、この切断用ブレード１０が装着される切断機（ダイサー）において、光学式ブレード破損検出装置の光が切粉保持穴６を透過することはなく、ブレード破損と誤判断されるような不具合が確実に防止されて、安全装置の機能を十分に生かすことができ、かつ生産性が良好に維持される。
【００６１】
また、従来のようなブレード本体を貫通するスリットに比べて、本発明ではブレード本体１を貫通しない切粉保持穴６を該ブレード本体１の中心軸Ｏ方向を向く面１Ｂ上に分散配置したので、ブレード本体１に局部的な強度低下や集中荷重が生じるような不具合を効果的に抑制でき、ブレード剛性を確実に高めることができる。
【００６２】
また、ブレード本体１の中心軸Ｏ方向を向く面１Ｂに切粉保持穴６が分散されていることによって、被切断材の加工面（切断面）と切断用ブレード１０との摩擦抵抗（接触抵抗）が顕著に低減される。これにより、切れ刃１Ａ近傍及び加工面の温度上昇を抑えることができ、上述した切粉保持穴６の作用効果と相俟って、加工面精度のさらなる向上や工具寿命延長の効果を得ることができる。
【００６３】
具体的に、切粉保持穴６は、従来のスリットとは異なり、ブレード剛性を維持しつつ互いの配置間隔を狭めることが容易であり、例えば０．１ｍｍ程度の狭い間隔をあけて連続的に配列することができる。このため、切粉保持穴６の開口面積及び容量を、従来のスリットの開口面積及び容量に比べて同等又はそれ以上に大きく設定することも容易であり、さらなる効果の向上が期待できる。
【００６４】
以上より本実施形態によれば、切粉排出性や冷却効率を高めつつ、ブレード破損と誤判断されるような不具合は防止でき、かつブレード剛性を高めることができて、高精度な切断加工を長期にわたり安定して行うことができる。
【００６５】
また本実施形態では、切粉保持穴６が、その開口縁から穴中心（穴底の中心）に向かうに従い徐々に深さが深くされているので、該切粉保持穴６内に一時的に保持した切粉を、穴外部へと流れ出やすくすることができる。また、切粉保持穴６内に一時的に保持した冷却水を、切断部位へ向けて供給しやすくすることができる。従って、切粉排出性及び冷却効率をより安定的に高めることができる。
【００６６】
また、切粉保持穴６の穴形状は、例えば被切断材（ワーク）の種類、切断条件、加工面精度への要請等に応じて、本実施形態で説明した円形穴状、半円形穴状、楕円形穴状、多角形穴状及び星形穴状のいずれかより適宜選択可能である。
【００６７】
また本実施形態では、ブレード本体１の中心軸Ｏ方向を向く面１Ｂのうち外周部において、複数の切粉保持穴６の中心軸Ｏ回りの各回転軌跡が、ブレード径方向に沿って隙間なく配置されるので、切断加工時の切り込み量（切断深さ）に係わらず、被切断材の加工面上を必ず切粉保持穴６が通過する。従って、切り込み量等を変化させた場合でも、安定して切断精度を高めることができる。
【００６８】
また本実施形態では、ブレード本体１の中心軸Ｏ方向を向く面１Ｂのうち外周部において、切粉保持穴６が開口する面積の割合が、１０〜５０％である。
上記構成のように、ブレード本体１の中心軸Ｏ方向を向く面１Ｂのうち外周部において、切粉保持穴６が開口する面積の割合が１０％以上であれば、従来のスリットと同等以上の開口面積を確保しやすくなり、上述した切粉保持穴６による作用効果が格別にかつ安定して高められる。また、ブレード本体１の中心軸Ｏ方向を向く面１Ｂのうち外周部において、切粉保持穴６が開口する面積の割合が５０％以下であれば、該切粉保持穴６が多く形成され過ぎてブレード剛性に影響するようなことを防止できる。
【００６９】
また本実施形態では、切粉保持穴６が、該切粉保持穴６の開口縁の内径に比べて深さが小さい（つまり浅底である）ので、切粉保持穴６内に一時的に保持した切粉を、穴外部へと排出させやすくすることができる。また、切粉保持穴６内に一時的に保持した冷却水を、切断部位へ供給しやすくすることができる。従って、切粉排出性及び冷却効率をより安定的に高めることができる。
【００７０】
また本実施形態では、切粉保持穴６の深さが、ブレード本体１の中心軸Ｏ方向の厚さの１／１０〜１／３である。
上記構成のように、切粉保持穴６の深さが、ブレード本体１の中心軸Ｏ方向の厚さの１／１０以上であれば、切粉保持穴６の深さが十分に確保されて、上述した切粉保持穴６による作用効果が顕著に奏功される。また、切粉保持穴６の深さが、ブレード本体１の中心軸Ｏ方向の厚さの１／３以下であれば、該切粉保持穴６が深くなり過ぎてブレード剛性に影響するようなことを防止できる。
【００７１】
また本実施形態では、切粉保持穴６の深さが、１０〜６７μｍである。
上記構成のように、切粉保持穴６の深さが１０μｍ以上であれば、該切粉保持穴６内に、数μｍ程度の大きさの切粉を確実に収容することができ、上述した切粉保持穴６による作用効果が十分に奏功される。また、切粉保持穴６の深さが６７μｍ以下であれば、該切粉保持穴６が深くなり過ぎてブレード剛性に影響するようなことを防止できる。
【００７２】
また本実施形態では、切粉保持穴６の開口縁の内径が、１〜４ｍｍである。
上記構成のように、切粉保持穴６の開口縁の内径が１ｍｍ以上であれば、ブレード本体１の中心軸Ｏ方向を向く面１Ｂにおいて、複数の切粉保持穴６に所定以上の開口面積や十分な深さ、容量を付与しやすくなり、製造（成形）が容易である。また、切粉保持穴６の開口縁の内径が４ｍｍ以下であれば、該切粉保持穴６が大きく形成され過ぎてブレード剛性に影響するようなことを防止できる。
【００７３】
また本実施形態では、中心軸Ｏに沿うブレード本体１の断面視で、ブレード本体１の中心軸Ｏ方向を向く面１Ｂと、切粉保持穴６の開口縁と、の間に形成される角度θが、３０〜６０度である。
上記構成のように、ブレード本体１の中心軸Ｏ方向を向く面１Ｂと、切粉保持穴６の開口縁との間に形成される角度θが３０度以上であれば、上述した切粉保持穴６の機能を十分に発揮させることができる。また、角度θが６０度以下であれば、切粉保持穴６内に一時的に保持した切粉を、穴外部へと流れ出やすくすることができる。また、切粉保持穴６内に一時的に保持した冷却水を、切断部位へ向けて供給しやすくすることができる。
なお、角度θが４０〜５０度である場合には、上述した作用効果がより格別なものとなり、好ましい。
【００７４】
なお、本発明は前述の実施形態に限定されるものではなく、例えば下記に説明するように、本発明の趣旨を逸脱しない範囲において種々の変更を加えることが可能である。
【００７５】
前述の実施形態では、被切断材として、例えば、半導体素子のように半導体ウェハから切断されて分割された後に、リードフレームに実装されて樹脂モールディングされるものや、ＱＦＮパッケージやＳＡＷデバイス用セラミックパッケージ等の電子材料部品を例に挙げたが、それ以外の電子材料部品の個片化において切断用ブレード１０を用いてもよい。また個片化に限らず、溝加工に切断用ブレード１０を用いてもよい。
【００７６】
また、前述の実施形態では、切断用ブレード１０がワッシャタイプ（平円板形）であるとしたが、これに限定されるものではない。すなわち、切断用ブレード１０は、ブレード本体１が図示しない台金に取り付けられ、この台金ごと切断機の主軸に装着されるハブタイプの薄刃ブレード（ハブ付きブレード）であってもよい。
【００７７】
また、前述の実施形態では、ブレード本体１が、樹脂相２を基材としている例を挙げたが、これに限定されるものではない。すなわち、ブレード本体１は、樹脂相２の代わりに、金属相（金属の固相）やめっき相（電解めっき又は無電解めっきにより形成された相）を基材としていてもよい。つまり、切断用ブレード１０はレジンボンドブレードに限定されず、メタルボンドブレードや電鋳ブレード等であってもよい。
【００７８】
また、前述の実施形態では、図３、図４、図９及び図１０に示されるブレード断面視において、切粉保持穴６（の穴底）が凹曲線状をなしているとしたが、これに限定されるものではない。すなわち、ブレード断面視において切粉保持穴６（の穴底）は、該切粉保持穴６の開口縁から穴中心（穴底の中心）に向かうに従い徐々に深さが深くなる直線状（つまり傾斜面状）部分を含んでいたり、凸曲線状部分を含んでいてもよい。
【００７９】
また、前述の実施形態では、切粉保持穴６が、該切粉保持穴６の開口縁から穴中心（穴底の中心）に向かうに従い徐々に深さが深くされているとしたが、これに限定されるものではない。例えば、切粉保持穴６は、該切粉保持穴６の周縁部から穴中心にわたって深さが一定とされていてもよい。この場合、切断用ブレード１０の製造容易性が向上する。
【００８０】
また、前述の実施形態では、切粉保持穴６が、円形穴状、半円形穴状、楕円形穴状、多角形穴状及び星形穴状のいずれかに形成されるとしたが、これに限定されるものではない。切粉保持穴６は、例えば、上述した種々の穴形状同士を組み合わせた複合的な穴形状であってもよい。
【００８１】
また本発明は、前述の実施形態で説明したブレード本体１の外径、内径、中心軸Ｏ方向の厚さ、砥粒３の平均粒径、切粉保持穴６の開口縁の内径、深さ、角度θ等の各数値範囲に限定されるものではない。
【００８２】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【実施例】
【００８３】
以下、本発明を実施例により具体的に説明する。ただし本発明はこの実施例に限定されるものではない。
前述した実施形態のレジンボンドブレードである切断用ブレード１０を用いて、切断試験を実施した結果を下記に示す。
【００８４】
まずＱＦＮパッケージに関して、下記の切断条件にて切断試験を行った。
＜切断条件＞
回転数：２０〜３０ｋｒｐｍ
送り速度：２０〜３０ｍｍ／ｓｅｃ
切断形態：１Ｐａｓｓ  Ｆｕｌｌ  Ｃｕｔ
被切断材：Ｃｕリードフレーム
【００８５】
上記切断試験の結果、被切断材の切断面におけるバリの発生が顕著に抑制され、バリの長さ（バリサイズ）も小さく抑えられることがわかった。これより、切断用ブレード１０を用いてＱＦＮパッケージを切断した際のバリ抑制効果が期待でき、歩留まりを改善できる。
【００８６】
次に、図１３に示されるＳＡＷデバイス用セラミックパッケージ１００の切断試験を行った。なお、この切断試験では、本実施例の切断用ブレード１０と、従来例の切粉保持穴６を有していない切断用ブレードとについて試験を行い、結果を比較した。
図１３において、ＳＡＷデバイス用セラミックパッケージ１００は、表層から下方へ向けて、コバール層（蓋層）１０１、ＳｎＡｇ層（はんだ層）１０２、Ａｌ２Ｏ３層１０３、レジスト層１０４及びテープ層１０５をこの順に備えている。各層の厚さ及び切断条件については、下記の通りとした。
【００８７】
＜各層厚さ＞
コバール層（蓋層）：２５μｍ
ＳｎＡｇ層（はんだ層）：２５０μｍ
Ａｌ２Ｏ３層：１７０μｍ
レジスト層：３０μｍ
テープ層：１７５μｍ
＜切断条件＞
回転数：３５ｋｒｐｍ
送り速度：１０〜２０ｍｍ／ｓｅｃ
切断形態：２Ｐａｓｓ  Ｆｕｌｌ  Ｃｕｔ
【００８８】
上記切断試験の結果、従来例においては、ブレード側面（面１Ｂ）の外周部にＳｎＡｇ層（はんだ層）１０２の成分付着痕が見受けられ、このため砥粒３が露出せず、加工負荷が上昇し、コバール層（蓋層）１０１が剥がれる現象が確認された。
一方、本実施例においては、ブレード側面（面１Ｂ）の外周部にＳｎＡｇ層（はんだ層）１０２の成分付着痕は特に見受けられず、加工負荷の変動のない安定した切断加工を行えることがわかった。また、コバール層（蓋層）１０１が剥がれるような現象も見受けられなかった。
【産業上の利用可能性】
【００８９】
本発明の切断用ブレードによれば、切粉排出性や冷却効率を高めつつ、ブレード破損と誤判断されるような不具合は防止でき、かつブレード剛性を高めることができて、高精度な切断加工を安定して行うことができる。従って、産業上の利用可能性を有する。
【符号の説明】
【００９０】
１  ブレード本体
１Ａ  切れ刃
１Ｂ  ブレード本体の中心軸方向を向く面
６  切粉保持穴
１０  切断用ブレード
Ｏ  中心軸
【図１】
2018199170.tif 000003
【図２】
2018199170.tif 000004
【図３】
2018199170.tif 000005
【図４】
2018199170.tif 000006
【図５】
2018199170.tif 000007
【図６】
2018199170.tif 000008
【図７】
2018199170.tif 000009
【図８】
2018199170.tif 000010
【図９】
2018199170.tif 000011
【図１０】
2018199170.tif 000012
【図１１】
2018199170.tif 000013
【図１２】
2018199170.tif 000014
【図１３】
2018199170.tif 000015